(57)【特許請求の範囲】
【請求項１】
本体部（１）に、ｐＨにより変色する色素（２）を、体液により湿潤した場合にもブリード（色素が滲み出す現象）が起こらないようにインク化して付着させたことを特徴とする体液吸収用当て材。
【請求項２】
本体部（１）を少なくとも表面材（１ａ）、吸収体（１ｂ）、及び防水層（１ｃ）より構成し、表面材（１ａ）を透視性のある素材とすると共に、吸収体（１ｂ）の表面にｐＨにより変色する色素（２）を、体液により湿潤した場合にもブリード（色素が滲み出す現象）が起こらないようにインク化して付着させたことを特徴とする体液吸収用当て材。
【請求項３】
本体部（１）を少なくとも表面材（１ａ）、吸収体（１ｂ）、及び防水層（１ｃ）より構成し、防水層（１ｃ）を透視性のある素材とすると共に、吸収体（１ｂ）の裏面または防水層（１ｃ）の内面にｐＨにより変色する色素（２）を、体液により湿潤した場合にもブリード（色素が滲み出す現象）が起こらないようにインク化して付着させたことを特徴とする体液吸収用当て材。
【請求項４】
色素（２）が、体液により湿潤した場合にもブリードが起こらず、耐久性に優れたものであることを特徴とする、請求項１乃至３のいずれかに記載の体液吸収用当て材。
【請求項５】
色素（２）のインク化が、カチオン基を有するヒドロゲル粒子に色素（２）を吸着させ、必要に応じ表面を透湿、透水性皮膜で覆われた構成となる組成物とすることによって行われる、請求項１乃至４のいずれかに記載の体液吸収用当て材。
【請求項６】
ヒドロゲル粒子が、アクリル酸・アクリルアミド・メタクリル酸・Ｎ,Ｎ-ジメチルアミノエチル共重合物のグリセロールグリシジルエーテルによる部分架橋物である、請求項５記載の体液吸収用当て材。
【請求項７】
体液がおりものである請求項１乃至６のいずれかに記載の体液吸収用当て材。
【請求項８】
色素（２）がｐＨ４〜５，５〜６域で変色するものである請求項１乃至７のいずれかに記載の体液吸収用当て材。
【発明の詳細な説明】
【０００１】
【発明の属する技術分野】
この発明は、パンティ等の下着の内面に敷いて、おりもの等の体液を吸収するようにした体液吸収用当て材に関するものである。
【０００２】
【従来の技術】
従来、この種の体液吸収用当て材には、いわゆるおりもの用シートと呼ばれるものが市販されている。おりもの用シートは、生理日以外に下着の内面に敷いておりものを吸収し、下着の汚れを防止しようとするものである。しかし、このおりもの用シートは、ただ単に下着の汚れを防止するだけであって、他には何の機能も備えていない。
【０００３】
ところで、おりもののｐＨは、生理周期、トリコモナスなどの病的状態、更年期、妊娠時の破水等により変動するので、おりもののｐＨを測定することで健康状態、体調等をチェックできる場合がある。また、医師が患者の病的状態を診るのに、おりもののｐＨを測定する場合があるが、このような場合、医師は綿棒などでおりものを採取し、ｐＨ試験紙に接触させて測定している。
【０００４】
【発明が解決しようとする課題】
しかしながら、おりもの等の体液のｐＨを常日頃から測定するのは大変面倒であり、健康状態、体調等を簡単にチェックするためのバロメーターとしてそのｐＨ値を測定するには未だ多くの課題を有していた。
【０００５】
また、医師が患者の体液のｐＨを測定する場合にも、採取時などに内診が必要となりその測定に困難性を伴うという課題を有していた。
【０００６】
そこで、この発明は、おりもの等の体液のｐＨ測定機能を備えた体液吸収用当て材を提供することにより、上記課題を解決しようとするものである。
【０００７】
【課題を解決するための手段】
そのため、この発明の体液吸収用当て材は、本体部１に、ｐＨにより変色する色素２を付着させたものとしている。好ましくは、本体部１に、ｐＨにより変色する色素２をインク化して付着させたものとしている。
【０００８】
さらに、この発明の体液吸収用当て材は、本体部１を少なくとも表面材１ａ、吸収体１ｂ、及び防水層１ｃより構成し、表面材１ａを透視性のある素材とすると共に、吸収体１ｂの表面にｐＨにより変色する色素２を付着させたものとしてもよい。好ましくは色素２をインク化して付着させる。
【０００９】
また、この発明の体液吸収用当て材は、本体部１を少なくとも表面材１ａ、吸収体１ｂ、及び防水層１ｃより構成し、防水層１ｃを透視性のある素材とすると共に、吸収体１ｂの裏面または防水層１ｃの内面にｐＨにより変色する色素２を付着させたものとすることができる。好ましくは色素２をインク化して付着させる。
【００１０】
さらにまた、この発明の体液吸収用当て材は、本体部１に、ｐＨにより変色する色素２をインク化して塗布あるいは印刷した上から、カチオン系のコーティング剤を塗布あるいは印刷したものとしてもよい。
【００１１】
しかも、この発明の体液吸収用当て材は、前記色素２をｐＨ４〜５，５〜６域で変色する色素、特にニトラジンイエローとするのが好ましい。そして、このニトラジンイエローとした色素２は、弱酸性に調製した状態で塗布あるいは印刷したものとしてもよい。
【００１２】
【作用】
この発明の体液吸収用当て材は、上記構成としたため、ｐＨにより変色する色素２がおりもの等の体液で濡れると、反応して変色する。そして、この色素２の変色具合は、体液吸収用当て材の表面もしくは裏面から見ることができる。
【００１３】
さらに、前記色素２を付着させる部分を吸収体１ｂまたは防水層１ｃにすれば、使用時に色素２が使用者の皮膚に直接当たることがない。
【００１４】
また、前記色素２をインク化して塗布あるいは印刷した上から、カチオン系のコーティング剤を塗布あるいは印刷すれば、塗布あるいは印刷面から色素が脱落することを効果的に抑えることができる。
【００１５】
さらにまた、ｐＨにより変色する色素２を、ニトラジンイエローとした場合には、体液のｐＨにより、黄、黄緑、または青に変色する。
【００１６】
しかも、ニトラジンイエローを弱酸性に調製しておくと、黄色に変色した状態で塗布あるいは印刷されることになり、おりものが正常な場合には黄色のまま変色せず、おりものが異常な場合には黄色から青色に変色する。
【００１７】
【実施例】
以下、この発明の体液吸収用当て材の構成を、一実施例として示した図面に基づいて詳細に説明する。
【００１８】
図１、２に示すように、この発明の体液吸収用当て材は、表面材１ａ、吸収体１ｂ、及び防水層１ｃより本体部１が構成され、適当な包装材（図示せず）により包装されている。この実施例では、表面材１ａを合成繊維不織布とし、吸収体１ｂを天然繊維不織布とし、防水層１ｃをポリエチレンのバックシートとしているが、必要に応じ適当な材質が選択される。図３に示したものは、前記表面材１ａと吸収体１ｂを貼り合わせてメッシュ加工したものとし、吸収体１ｂと防水層１ｃの間に、合成繊維不織布とした吸収体１ｄを設けたものとしている。
【００１９】
そして、本体部１の吸収体１ｂの表面には、ｐＨにより変色する色素２を付着させている。この色素２を付着させるには、色素２をインク化して付着させるのが好ましい。
【００２０】
また、色素２を付着させる部分は、表面材１ａをメッシュシート等の透視性のある素材とした場合には、吸収体１ｂの表面または表面材１ａの外面や内面とすることができ、防水層１ｃを透明または半透明の透視性のある素材とした場合には、吸収体１ｂの裏面または防水層１ｃの内面とすることができる。
【００２１】
さらに、この発明の体液吸収用当て材において使用される色素２は、ｐＨ４〜５、５〜６域で変色するものを使用している。これは、一般的に、おりもののｐＨが５以上の時は病的な場合が多く、おりもののｐＨが５以下の時は正常な場合が多いので、上記ｐＨ域で変色する色素２を使用するのが好ましい。また、尿失禁のある人や妊婦で破水が起こった時などもｐＨが５以上になるので、このような場合にも、上記色素２を使用するのが好ましい。実施例では、このような色素２として、次の化学式に示されるニトラジンイエロー〔別名；２−（２，４−ジニトロフェニルアゾ）−１−ナフトール−３，６−ジスルホン酸二ナトリウム〕を採用した。
【００２２】
【化１】
0003650883.tif 000002
【００２３】
前記ニトラジンイエローは、ｐＨ４で黄色に変色し、ｐＨ５で黄緑色に変色し、ｐＨ６で青色に変色するものであり、人体に対しての安全性も非常に優れている。
【００２４】
また、色素２をインク化するには、カチオン基を有するヒドロゲル粒子に色素２を吸着させ、必要に応じ表面を透湿、透水性皮膜で覆われた構成となる組成物とすればよい。この組成物には、体液吸収用当て材に固着させるための適当なバインダーを併用してもよい。なお、前記ヒドロゲル粒子としては、アクリル酸・アクリルアミド・メタクリル酸・Ｎ，Ｎ−ジメチルアミノエチル共重合物のグリセロールグリシジルエーテルによる部分架橋物で代表されるような組成物を用い、粒子径を０．０１〜５０μｍとするのが好ましい。
【００２５】
このインク化した色素２を塗布あるいは印刷することにより、色素２がおりもの等の体液により湿潤した場合にもブリード（色素が滲み出す現象）が起こらず、色素２を耐久性に優れた状態として本体部１に付着させておくことができる。なお、前記色素２を塗布あるいは印刷した上から、カチオン系のコーティング剤を塗布あるいは印刷したものとしてもよい。このようにすれば、塗布あるいは印刷面から色素が脱落することを効果的に抑えることができる。
【００２６】
さらに、色素２をニトラジンイエローとした場合には、表１に示したように、他の色素、例えばメチルレッド、ブロモチモルブルー、ブロモクレゾールグリーンと比較してｐＨ４〜６域で鮮明に変色し、また加温加湿下（４０℃、７５％）、光曝露下での経時変化のし難いものとなる。
【００２７】
【表１】
0003650883.tif 000003
【００２８】
また、ニトラジンイエローをインク化して中性に調製しておくと、青色の状態で塗布あるいは印刷されることになり、ニトラジンイエローをインク化して弱酸性に調製しておくと、黄色の状態で塗布あるいは印刷されることになる。
【００２９】
そのため、ニトラジンイエローをインク化して青色の状態で塗布あるいは印刷したものでは、おりものが正常な場合には青色から黄色に変色するが、おりものが異常な場合には青色のまま変色しない。また、ニトラジンイエローをインク化して黄色の状態で塗布あるいは印刷したものでは、おりものが正常な場合には黄色のまま変色せず、おりものが異常な場合には黄色から青色に変色する。
【００３０】
したがって、前者では実際には正常であるのに、おりものが無い時や少ない時に青色のまま変色しないことがあるため、異常であると勘違いする場合がある。しかし、後者では正常な場合には黄色であるため、おりものが無い時や少ない時に変色しなくても、異常であると勘違いすることはない。
【００３１】
【発明の効果】
この発明の体液吸収用当て材は、以上に述べたように構成されており、ｐＨにより変色する色素２がおりもの等の体液で濡れると変色し、この変色具合を体液吸収用当て材の表面もしくは裏面から見ることができるので、健康状態、体調等を簡単にチェックするためのバロメーターとして使用できるようになった。そして、この発明の体液吸収用当て材を使用すれば、医師が患者のおりもののｐＨを測定する場合にも、採取時などに内診が不要となりその測定に困難性を伴うことがなくなった。
【００３２】
さらに、前記色素２を付着させる部分を吸収体１ｂまたは防水層１ｃにすれば、使用時に色素２が使用者の皮膚に直接当たることがないので、安全性の面で安心感が得られるものとなった。
【００３３】
また、前記色素２を塗布あるいは印刷した上から、カチオン系のコーティング剤を塗布あるいは印刷すれば、塗布あるいは印刷面から色素が脱落することを効果的に抑えることができので、安全性の面でより安心感が得られるものとなった。
【００３４】
さらにまた、ｐＨにより変色する色素２をニトラジンイエローとした場合には、体液のｐＨにより、黄、黄緑、または青に変色するので、健康状態、体調等をより明らかにチェックできるようになった。
【００３５】
しかも、ニトラジンイエローをインク化して黄色の状態で塗布あるいは印刷したものでは、おりものが無い時や少ない時に正常な状態を表す黄色のままのため、おりものが異常であると勘違いすることはなく、健康状態、体調等をチェックし易いものとなる。
【図面の簡単な説明】
【図１】この発明の体液吸収用当て材の一実施例の一部破断斜視図である。
【図２】この発明の体液吸収用当て材の図１中のＡ−Ａ線による拡大断面図である。
【図３】この発明の体液吸収用当て材の他実施例の拡大断面図である。
【符号の説明】
１ 本体部
１ａ 表面材
１ｂ 吸収体
１ｃ 防水層
２ 色素
【図１】
0003650883.tif 000004
【図２】
0003650883.tif 000005
【図３】
0003650883.tif 000006